(57)【要約】    【課題】  マット状植物生育体に潅水された水系液体が効率的に保水されて植物生育に利用され得る植物栽培用構造体、積層植物生育体及び植物栽培用構造体形成材の提供。    【解決手段】  隣接配列した支持体Ｒ上に、保水性生育部Ｍａ上に拡散部Ｍｂを積層したマット状植物生育体Ｍｌを隣接配列して下層側の配列生育層Ｌｌを形成する。その上に、辺同士が平行状にずれたマット状植物生育体Ｍｕを積層して隣接配列し、上層側の配列生育層Ｌｕを形成する。支持体Ｒの嵌合孔Ｒｄと、上下層のマット状植物生育体Ｍｌ・Ｍｕの貫通孔Ｍｃの位置を一致させて結合部材Ｐを下方へ嵌挿することにより、基端側外方張出部と先端側外方張出部の間に支持体Ｒと上下のマット状植物生育体Ｍｌ・Ｍｕを挟んで結合する。【選択図】      図２
2014226061.tif 000002
【特許請求の範囲】
【請求項１】
保水性生育部を有するマット状植物生育体が、複数個平面的に隣接配列されてなる配列生育層が、上下に積層されてなる積層体を備える植物栽培用構造体であって、
前記積層体における上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐ流下防止部を備えることを特徴とする植物栽培用構造体。
【請求項２】
上記流下防止部が、
上側の配列生育層におけるマット状植物生育体同士の隣接部と下側の配列生育層におけるマット状植物生育体同士の隣接部が、水平方向において一致しないことにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐものである請求項１記載の植物栽培用構造体。
【請求項３】
上記流下防止部が、
下側の配列生育層におけるマット状植物生育体同士の隣接部上に、外部から供給された水系液体がマット状植物生育体の保水性生育部に比し水平方向に拡散し易い流下防止層を、隣接する両マット状植物生育体にわたって覆うように有することにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部上を覆う流下防止層上に流下した場合でも、その水系液体が流下防止層により覆われたマット状植物生育体同士の隣接部を更に流下することを防ぐものである請求項１記載の植物栽培用構造体。
【請求項４】
上記流下防止層が、１０デニール以下の親水化処理された疎水性合成繊維を主原料とする繊維製シート状体からなるものである請求項３記載の植物栽培用構造体。
【請求項５】
上記流下防止部が、
下側の配列生育層における隣接するマット状植物生育体同士が、隣接する一方のマット状植物生育体の上向き傾斜側面と他方のマット状植物生育体の下向き傾斜側面が上下に接する隣接部であることにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐものである請求項１記載の植物栽培用構造体。
【請求項６】
上記マット状植物生育体のうち、少なくとも、下側の配列生育層のマット状植物生育体が、保水性生育部上に積層された拡散部を有し、
前記拡散部は、外部から供給された水系液体が前記保水性生育部に比し水平方向に拡散し易く、
上方からマット状植物生育体に供給された水系液体が、前記拡散部において水平方向に拡散した後、前記保水性生育部に供給される請求項１乃至５の何れか１項に記載の植物栽培用構造体。
【請求項７】
上記拡散部が、１０デニール以下の親水化処理された疎水性合成繊維を主原料とする繊維製シート状体からなるものである請求項６記載の植物栽培用構造体。
【請求項８】
上記積層体が、すのこ状部を有する支持体により上向きに支持されてなるものである請求項１乃至７の何れか１項に記載の植物栽培用構造体。
【請求項９】
保水性生育部を有し平面視方形状をなす複数のマット状植物生育体が、辺同士が平行状をなすように互いにずれた状態で上下に積層して一体状をなす植物栽培用構造体形成用の積層植物生育体。
【請求項１０】
上記マット状植物生育体のうち、少なくとも、下側の層のマット状植物生育体が、保水性生育部上に積層された拡散部を有し、
前記拡散部は、外部から供給された水系液体が前記保水性生育部に比し水平方向に拡散し易く、
上方からマット状植物生育体に供給された水系液体が、前記拡散部において水平方向に拡散した後、前記保水性生育部に供給される請求項９記載の積層植物生育体。
【請求項１１】
上記拡散部が、１０デニール以下の親水化処理された疎水性合成繊維を主原料とする繊維製シート状体からなるものである請求項１０記載の積層植物生育体。
【請求項１２】
すのこ状部を有する支持体上に、上記複数のマット状植物生育体が上下に積層し、それらの支持体と上下に積層したマット状植物生育体が一体状をなす請求項９、１０又は１１記載の積層植物生育体。
【請求項１３】
保水性生育部を有し平面視方形状をなす複数のマット状植物生育体と、それらのマット状植物生育体を上下に積層した状態で結合させる結合部材を備えてなり、
前記複数のマット状植物生育体は、上下に積層した状態で前記結合部材により結合される被結合箇所をそれぞれ有しており、
前記マット状植物生育体を上下に積層させた状態で、それらのマット状植物生育体を、前記被結合箇所において前記結合部材により結合することにより、辺同士が平行状をなすように互いにずれた状態でそれらのマット状植物生育体が上下に積層した状態となる植物栽培用構造体形成材。
【請求項１４】
上記マット状植物生育体のうち、少なくとも、下側の層に用いられるマット状植物生育体が、保水性生育部上に積層された拡散部を有し、
前記拡散部は、外部から供給された水系液体が前記保水性生育部に比し水平方向に拡散し易く、
上方からマット状植物生育体に供給された水系液体が、前記拡散部において水平方向に拡散した後、前記保水性生育部に供給される請求項１３記載の植物栽培用構造体形成材。
【請求項１５】
上記拡散部が、１０デニール以下の親水化処理された疎水性合成繊維を主原料とする繊維製シート状体からなるものである請求項１４記載の植物栽培用構造体形成材。
【請求項１６】
すのこ状部を有する支持体を更に備えてなり、
その支持体上に上記マット状植物生育体を上下に積層させた状態で、上記結合部材により、それらのマット状植物生育体を上記被結合箇所において結合すると共に支持体を結合することにより、前記支持体上において辺同士が平行状をなすように互いにずれた状態でそれらのマット状植物生育体が上下に積層した状態となる請求項１３、１４又は１５記載の植物栽培用構造体形成材。
【発明の詳細な説明】
【技術分野】
【０００１】
本発明は、植物栽培用構造体、積層植物生育体、及び、植物栽培用構造体形成材に関する。
【背景技術】
【０００２】
特開平２００３−２３０３１６号公報には、支持部上に繊維マットが積層結合してなる植物栽培マット体を平面的に隣接配列して屋上緑化等に用いる技術が記載されている。
【０００３】
この植物栽培マット体は保水性を有するが、潅水された水が植物栽培マット体同士の隣接部を通じて流下することにより保水される割合が低下し、植物生育に効率的に利用され得ないおそれがあった。
【先行技術文献】
【特許文献】
【０００４】
【特許文献１】特開平２００３−２３０３１６号公報
【発明の概要】
【発明が解決しようとする課題】
【０００５】
本発明は、従来技術に存した上記のような課題に鑑み行われたものであって、マット状植物生育体に潅水された水系液体が効率的に保水されて植物生育に利用され得る植物栽培用構造体、積層植物生育体及び植物栽培用構造体形成材を提供することにある。
【課題を解決するための手段】
【０００６】
本発明は、次のように表すことができる。
【０００７】
(1) 保水性生育部を有するマット状植物生育体が、複数個平面的に隣接配列されてなる配列生育層が、上下に積層されてなる積層体を備える植物栽培用構造体であって、
前記積層体における上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐ流下防止部を備えることを特徴とする植物栽培用構造体。
【０００８】
複数のマット状植物生育体が、平面的に隣接配列されてなる配列生育層が上下に積層されてなる積層体を有する植物栽培用構造体において、積層体における上側の配列生育層のマット状植物生育体に潅水された水系液体のうち、その配列生育層のマット状植物生育体同士の隣接部を流下したものが、その配列生育層の下側の配列生育層のマット状植物生育体同士の隣接部を更に流下することが、流下防止部により防がれる。
【０００９】
そのため、上側の配列生育層のマット状植物生育体に潅水された水系液体が、その配列生育層の下側の配列生育層のマット状植物生育体において効率的に保水されて植物生育に利用され得る。
【００１０】
(2) 上記流下防止部が、
上側の配列生育層におけるマット状植物生育体同士の隣接部と下側の配列生育層におけるマット状植物生育体同士の隣接部が、水平方向において一致しないことにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐものである上記(1)記載の植物栽培用構造体。
【００１１】
上側の配列生育層におけるマット状植物生育体同士の隣接部と下側の配列生育層におけるマット状植物生育体同士の隣接部が、水平方向において一致しないため、積層体における上側の配列生育層のマット状植物生育体に潅水された水が、その配列生育層のマット状植物生育体同士の隣接部を通じ、その配列生育層の下側の配列生育層のマット状植物生育体同士の隣接部に直接的に流下することが防がれる。
【００１２】
(3) 上記流下防止部が、
下側の配列生育層におけるマット状植物生育体同士の隣接部上に、外部から供給された水系液体がマット状植物生育体の保水性生育部に比し水平方向に拡散し易い流下防止層を、隣接する両マット状植物生育体にわたって覆うように有することにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部上を覆う流下防止層上に流下した場合でも、その水系液体が流下防止層により覆われたマット状植物生育体同士の隣接部を更に流下することを防ぐものである上記(1)記載の植物栽培用構造体。
【００１３】
下側の配列生育層におけるマット状植物生育体同士の隣接部上に、外部から供給された水系液体がマット状植物生育体の保水性生育部に比し水平方向に拡散し易い流下防止層を、隣接する両マット状植物生育体にわたって覆うように有するため、積層体における上側の配列生育層のマット状植物生育体に潅水された水が、その配列生育層のマット状植物生育体同士の隣接部を通じ、その配列生育層の下側の配列生育層のマット状植物生育体同士の隣接部に直接的に流下することが防がれる。
【００１４】
(4) 上記流下防止部が、
下側の配列生育層における隣接するマット状植物生育体同士が、隣接する一方のマット状植物生育体の上向き傾斜側面と他方のマット状植物生育体の下向き傾斜側面が上下に接する隣接部であることにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐものである上記(1)記載の植物栽培用構造体。
【００１５】
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部の上部に流下した場合でも、その隣接部は、隣接する一方のマット状植物生育体の上向き傾斜側面と他方のマット状植物生育体の下向き傾斜側面が上下に接するものであるため、その隣接部の上部に流下した水系液体は、マット状植物生育体同士の隣接部を更に下端まで流下することが可及的に防がれ、上向き傾斜側面を有する側のマット状植物生育体により保水される割合が高まる。
【００１６】
(5) 上記マット状植物生育体のうち、少なくとも、下側の配列生育層のマット状植物生育体が、保水性生育部上に積層された拡散部を有し、
前記拡散部は、外部から供給された水系液体が前記保水性生育部に比し水平方向に拡散し易く、
上方からマット状植物生育体に供給された水系液体が、前記拡散部において水平方向に拡散した後、前記保水性生育部に供給される上記(1)乃至(4)の何れかに記載の植物栽培用構造体。
【００１７】
上方から下側の配列生育層のマット状植物生育体に供給された水系液体は、そのマット状植物生育体の保水性生育部上に積層された、保水性生育部に比し水平方向に拡散し易い拡散部において、水平方向に拡散した後、前記保水性生育部に供給される。
【００１８】
そのため、積層体における上側の配列生育層のマット状植物生育体に潅水された水系液体のうち、その配列生育層のマット状植物生育体同士の隣接部を流下したものが、その配列生育層の下側の配列生育層のマット状植物生育体同士の隣接部を更に流下することが、流下防止部により防がれることと相俟って、保水性生育部に対し可及的に偏り少なく水系液体が供給され、保水性生育部における水系液体の保水及び植物育成の効率が良い。
【００１９】
(6) 上記積層体が、すのこ状部を有する支持体により上向きに支持されてなるものである上記(1)乃至(5)の何れかに記載の植物栽培用構造体。
【００２０】
余分な水系液体をすのこ状部を介して下方へ排水し得ると共に、積層体を構成するマット状植物生育体において生育する植物の根に対する通気性を良好なものとして植物の生育に資する。
【００２１】
(7) 保水性生育部を有し平面視方形状をなす複数のマット状植物生育体が、辺同士が平行状をなすように互いにずれた状態で上下に積層して一体状をなす植物栽培用構造体形成用の積層植物生育体。
【００２２】
この植物栽培用構造体形成用積層植物生育体を用いることにより、植物栽培用構造体を形成することができる。
【００２３】
(8) 上記マット状植物生育体のうち、少なくとも、下側の層のマット状植物生育体が、保水性生育部上に積層された拡散部を有し、
前記拡散部は、外部から供給された水系液体が前記保水性生育部に比し水平方向に拡散し易く、
上方からマット状植物生育体に供給された水系液体が、前記拡散部において水平方向に拡散した後、前記保水性生育部に供給される上記(7)記載の積層植物生育体。
【００２４】
(9) すのこ状部を有する支持体上に、上記複数のマット状植物生育体が上下に積層し、それらの支持体と上下に積層したマット状植物生育体が一体状をなす上記(7)又は(8)記載の積層植物生育体。
【００２５】
(10) 保水性生育部を有し平面視方形状をなす複数のマット状植物生育体と、それらのマット状植物生育体を上下に積層した状態で結合させる結合部材を備えてなり、
前記複数のマット状植物生育体は、上下に積層した状態で前記結合部材により結合される被結合箇所をそれぞれ有しており、
前記マット状植物生育体を上下に積層させた状態で、それらのマット状植物生育体を、前記被結合箇所において前記結合部材により結合することにより、辺同士が平行状をなすように互いにずれた状態でそれらのマット状植物生育体が上下に積層した状態となる植物栽培用構造体形成材。
【００２６】
この植物栽培用構造体形成材を用いることにより、植物栽培用構造体形成用積層植物生育体又は植物栽培用構造体を形成することができる。
【００２７】
(11) 上記マット状植物生育体のうち、少なくとも、下側の層に用いられるマット状植物生育体が、保水性生育部上に積層された拡散部を有し、
前記拡散部は、外部から供給された水系液体が前記保水性生育部に比し水平方向に拡散し易く、
上方からマット状植物生育体に供給された水系液体が、前記拡散部において水平方向に拡散した後、前記保水性生育部に供給される上記(10)記載の植物栽培用構造体形成材。
【００２８】
(12) すのこ状部を有する支持体を更に備えてなり、
その支持体上に上記マット状植物生育体を上下に積層させた状態で、上記結合部材により、それらのマット状植物生育体を上記被結合箇所において結合すると共に支持体を結合することにより、前記支持体上において辺同士が平行状をなすように互いにずれた状態でそれらのマット状植物生育体が上下に積層した状態となる上記(10)又は(11)記載の植物栽培用構造体形成材。
【発明の効果】
【００２９】
本発明によれば、複数のマット状植物生育体が、平面的に隣接配列されてなる配列生育層が上下に積層されてなる積層体を有する植物栽培用構造体において、積層体における上側の配列生育層のマット状植物生育体に潅水された水系液体のうち、その配列生育層のマット状植物生育体同士の隣接部を流下したものが、その配列生育層の下側の配列生育層のマット状植物生育体同士の隣接部を更に流下することが、流下防止部により防がれる。
【００３０】
そのため、上側の配列生育層のマット状植物生育体に潅水された水系液体が、その配列生育層の下側の配列生育層のマット状植物生育体において効率的に保水されて植物生育に利用され得る。
【図面の簡単な説明】
【００３１】
【図１】支持体上に積層マットが支持されたものの平面図である。
【図２】支持体上に積層マットが支持されたものの正面図である。
【図３】支持体上に積層マットが支持されたものの右側面図である。
【図４】結合部材の正面図である。
【図５】植物栽培用構造体及び各積層マットの平面図である。
【図６】積層体の要部側面図である。
【図７】別の積層体の要部側面図である。
【図８】別の積層体の要部側面図である。
【発明を実施するための形態】
【００３２】
[1] 本発明の実施の形態を、図面を参照しつつ説明する。
【００３３】
図面は何れも本発明の実施の形態の例についてのものである。
【００３４】
(1) 図１乃至６に示す植物栽培用構造体Ｓは、マット状植物生育体Ｍｌ・Ｍｕが複数個平面的に隣接配列されてなる配列生育層Ｌｌ・Ｌｕが上下２層に積層されてなる積層体Ｔと、支持体Ｒと、結合部材Ｐからなる。
【００３５】
(2) マット状植物生育体Ｍｌ・Ｍｕは、芝類等の生育対象とする植物の根又は地下茎等が生育し得るものであり、保水性生育部Ｍａ全体の上に拡散部Ｍｂが積層されて一体化されたものである。
【００３６】
マット状植物生育体Ｍｌ・Ｍｕは、実質上一定厚さで、後述のように、基本形状である一定寸法の平面視正方形状又はこれをやや変形させた長方形状をなす。
【００３７】
保水性生育部Ｍａは、不規則に集合した繊維（熱溶融性のバインダー繊維を含有する）を圧縮成形すると共にバインダー繊維の溶融により繊維成形物の保形性を高めたものである。
【００３８】
拡散部Ｍｂは、マイクロファイバーを含む１．５デニール以下のポリエステル繊維からなる不織布であって、拡散性を高める上で、構成する合成繊維に対し親水化処理が施されている。
【００３９】
拡散部Ｍｂの厚さは、保水性生育部Ｍａの厚さの約２０分の１であり、同じ厚さの保水性生育部Ｍａに比し２００倍以上水平方向に拡散し易いものである。
【００４０】
各マット状植物生育体Ｍｌ・Ｍｕの四隅近傍部には、それぞれ、後記結合部材Ｐの抜止部Ｐａ及び軸状部Ｐｂが挿通され得る上下方向の貫通孔Ｍｃを被結合箇所として有する。
【００４１】
(3) 支持体Ｒは、積層体Ｔにおいて生育した植物の根が挿通し得る上方開口の透孔Ｒａが満遍なく多数形成された支持部Ｒｂが、支柱部Ｒｃにより支承されるものであって、合成樹脂により一体成形されたものである。
【００４２】
支持体Ｒの平面視形状は、マット状植物生育体Ｍｌ・Ｍｕの基本形状である平面視正方形に実質上一致するものである。
【００４３】
支持部Ｒｂには、上下方向の嵌合孔Ｒｄを四隅近傍部にそれぞれ有する。
【００４４】
(4) 結合部材Ｐは、マット状植物生育体Ｍｌ・Ｍｕが上下に積層した状態でこれを結合するものであって、
軸状部Ｐｂと、
前記軸状部Ｐｂの基端側に位置する基端側外方張出部Ｐｃと、
前記軸状部Ｐｂの先端側に位置し、前記基端側外方張出部Ｐｃとの間に対象物を挟む先端側外方張出部Ｐａ１を有すると共に内方へ弾性的に撓み得る抜止部Ｐａを備えるものである。
【００４５】
結合部材Ｐの抜止部Ｐａ及び軸状部Ｐｂは、マット状植物生育体Ｍｌ・Ｍｕの貫通孔Ｍｃに挿通され得るが、結合部材Ｐの基端側外方張出部Ｐｃは、貫通孔Ｍｃの外周よりも外方に張り出しており、貫通孔Ｍｃには挿通され得ない。
【００４６】
また結合部材Ｐの抜止部Ｐａは、内方へ弾性的に撓むことにより、支持体Ｒの支持部Ｒｂにおける嵌合孔Ｒｄに嵌挿され、前記弾性的な撓みが解除されることにより、抜止部Ｐａにより抜止がなされ得る。
【００４７】
(5) 上下２層に積層されて積層体Ｔを形成する配列生育層Ｌｌ・Ｌｕのうち下層側の配列生育層Ｌｌを構成するマット状植物生育体Ｍｌは、平面視正方形状をなし、図１乃至３（図１は輪郭のみ）に示されるように、支持体Ｒの支持部Ｒｂと四辺の水平方向位置が一致する状態で、その支持部Ｒｂ上に支持される。この場合において、下層側のマット状植物生育体Ｍｌの四隅近傍部にそれぞれ有する貫通孔Ｍｃの水平方向位置は、支持部Ｒｂの四隅近傍部にそれぞれ有する嵌合孔Ｒｄの水平方向位置に一致する。
【００４８】
上層側の配列生育層Ｌｕを構成するマット状植物生育体Ｍｕを、支持部Ｒｂ上に支持された下層側の配列生育層Ｌｌを構成するマット状植物生育体Ｍｌに対し全ての辺同士（又は一部の辺同士）が平行状をなすように互いにずれた所定の状態で、そのマット状植物生育体Ｍｌ上に積層した場合、図１乃至３（図１は輪郭のみ）に示されるように、上層側の配列生育層Ｌｕを構成するマット状植物生育体Ｍｕの貫通孔Ｍｃの各水平方向位置は、下層側のマット状植物生育体Ｍｌの貫通孔Ｍｃ及び支持部Ｒｂの嵌合孔Ｒｄの各水平方向位置に一致する。
【００４９】
(6) 植物栽培用構造体Ｓを設置するには、緑化対象屋上等の設置対象場所に支持体Ｒを複数個平面的に隣接配列し、それらの支持体Ｒの支持部Ｒｂ上に、平面視正方形状のマット状植物生育体Ｍｌを、支持部Ｒｂと四辺の水平方向位置が一致する状態で支持体Ｒ毎に載置して平面的に隣接配列することにより下層側の配列生育層Ｌｌを形成すると共に、それらのマット状植物生育体Ｍｌ上に、それらのマット状植物生育体Ｍｌに対し全ての辺同士又は一部の辺同士が平行状をなすように互いにずれた所定の状態でマット状植物生育体Ｍｕを積層して平面的に隣接配列し、上層側の配列生育層Ｌｕを形成する。
【００５０】
その際、支持部Ｒｂの嵌合孔Ｒｄと、下層側のマット状植物生育体Ｍｌの被結合箇所としての貫通孔Ｍｃと、上層側のマット状植物生育体Ｍｕの被結合箇所としての貫通孔Ｍｃの水平方向位置を一致させて支持体Ｒ上に下層側のマット状植物生育体Ｍｌと上層側のマット状植物生育体Ｍｕを積層すれば、支持体Ｒの支持部Ｒｂ上に、下層側の配列生育層Ｌｌを構成するマット状植物生育体Ｍｌと上層側の配列生育層Ｌｕを構成するマット状植物生育体Ｍｕが、全ての辺同士又は一部の辺同士が平行状をなすように互いにずれた所定の状態で積層したものとすることができる。またこの状態で、先端側を下向きとした結合部材Ｐを上層側のマット状植物生育体Ｍｕの各貫通孔Ｍｃから下方へ嵌挿することにより、各結合部材Ｐの基端側外方張出部Ｐｃと抜止部Ｐａの先端側外方張出部Ｐａ１間に上層側のマット状植物生育体Ｍｕと下層側のマット状植物生育体Ｍｌと支持体Ｒの支持部Ｒｂが挟まれて結合されたものとなる。
【００５１】
このようにして得られる植物栽培用構造体Ｓの平面図は、図５に示される通りである。下層側の配列生育層Ｌｌを構成する各マット状植物生育体Ｍｌと、その上に積層される上層側の配列生育層Ｌｕを構成する各マット状植物生育体Ｍｕの位置関係は、図５における積層マットＡ、Ｂ、Ｃ、Ｄ、Ｅ、Ｆ、Ｇ、Ｈ及びＩの９通りである。これらのうち積層マットＩ以外は、図５における積層体Ｔの周囲にそれぞれ別描されている。
【００５２】
積層マットＩは、下側のマット状植物生育体Ｍｌ上に、同一の平面視正方形状の上側のマット状植物生育体Ｍｕが、全ての辺同士が平行状に所定の一定幅ずつずれた状態（図５における上辺及び左辺は上層側がそれぞれ一定幅はみ出し、右辺及び下辺は下層側がそれぞれ一定幅はみ出した状態）で積層された態様であり、図１乃至３に示されるものと同様である。
【００５３】
積層マットＢ、Ｄ、Ｅ及びＧは、下側のマット状植物生育体Ｍｌ上に、同一の平面視正方形状の上側のマット状植物生育体Ｍｕが、３つの辺において辺同士が平行状に所定の一定幅ずつずれた状態で積層された態様である。積層マットＩとの相違は、上下のマット状植物生育体Ｍｌ・Ｍｕの１辺の水平方向位置が一致している点であり、積層マットＢ、Ｄ、Ｅ及びＧにおいて上下一致している辺は、それぞれ、図５における上辺、左辺、右辺及び下辺である。
【００５４】
積層マットＡ、Ｃ、Ｆ及びＨは、下側のマット状植物生育体Ｍｌ・Ｍｕ上に、同一の平面視正方形状の上側のマット状植物生育体Ｍｌ・Ｍｕが、２つの隣り合う辺において上下の辺同士が平行状に所定の一定幅ずつずれた状態で積層された態様である。積層マットＩとの相違は、上下のマット状植物生育体Ｍｌ・Ｍｕの隣り合う２辺の水平方向位置が一致している点であり、積層マットＡ、Ｃ、Ｆ及びＨにおいて上下一致している辺は、それぞれ、図５における上辺及び左辺、上辺及び右辺、左辺及び下辺、並びに、右辺及び下辺である。
【００５５】
上側の配列生育層Ｌｕのマット状植物生育体Ｍｕに潅水された水系液体は、そのマット状植物生育体Ｍｕにおける拡散部Ｍｂにおいて水平方向に拡散しつつ流下し、保水性生育部Ｍａに浸透する。保水性生育部Ｍａにおいて保水しきれない水系液体は、下側の配列生育層Ｌｌのマット状植物生育体Ｍｌに達し、更にそのマット状植物生育体Ｍｌにおける拡散部Ｍｂにおいて水平方向に拡散しつつ流下し、保水性生育部Ｍａに浸透し、保水性生育部Ｍａにおいて保水しきれない水系液体は支持体Ｒへ流下し、支持体Ｒの支持部Ｒｂにおける透孔Ｒａを通じて更に流下する。
【００５６】
上側の配列生育層Ｌｕにおけるマット状植物生育体Ｍｕ同士の隣接部と下側の配列生育層Ｌｌにおけるマット状植物生育体Ｍｌ同士の隣接部は、水平方向において一定幅ずれており一致しない（図６）ので、上側の配列生育層Ｌｕのマット状植物生育体Ｍｕに潅水された水系液体のうち、その配列生育層Ｌｕのマット状植物生育体Ｍｕ同士の隣接部を流下した水系液体は、下側の配列生育層Ｌｌのマット状植物生育体Ｍｌにおける拡散部Ｍｂにおいて水平方向に拡散しつつ流下し、保水性生育部Ｍａに浸透する。そのため、上側の配列生育層Ｌｕのマット状植物生育体Ｍｕ同士の隣接部を流下した水系液体が、下側の配列生育層Ｌｌのマット状植物生育体Ｍｌ同士の隣接部を更に流下して潅水効果が損なわれることが防がれる。
【００５７】
(7) 図７に示す植物栽培用構造体（支持体は図示を略す）は、マット状植物生育体Ｍｌ・Ｍｕが複数個平面的に隣接配列されてなる配列生育層Ｌｌ・Ｌｕが上下２層に積層されてなる積層体Ｔ１を有する。
【００５８】
この植物栽培用構造体においては、上側の配列生育層Ｌｕにおけるマット状植物生育体Ｍｕ同士の隣接部と下側の配列生育層Ｌｌにおけるマット状植物生育体Ｍｌ同士の隣接部が、水平方向において一致し、下側の配列生育層Ｌｌにおけるマット状植物生育体Ｍｌ同士の隣接部上に、外部から供給された水系液体がマット状植物生育体Ｍｌの保水性生育部Ｍａに比し水平方向に拡散し易い流下防止層Ｖを、隣接する両マット状植物生育体Ｍｌにわたって覆うように有する。流下防止層Ｖは、拡散部Ｍｂと同じ素材からなり、マット状植物生育体Ｍｌの厚さの４倍程度の幅にわたり、隣接する両マット状植物生育体Ｍｌを覆っている。
【００５９】
上側の配列生育層Ｌｕのマット状植物生育体Ｍｕに潅水された水系液体のうち、その配列生育層Ｌｕのマット状植物生育体Ｍｕ同士の隣接部を流下した水系液体は、流下防止層Ｖにおいて水平方向に拡散しつつ流下し、更に、下側の配列生育層Ｌｌのマット状植物生育体Ｍｌにおける拡散部Ｍｂにおいて水平方向に拡散しつつ流下し、保水性生育部Ｍａに浸透する。そのため、上側の配列生育層Ｌｕのマット状植物生育体Ｍｕ同士の隣接部を流下した水系液体が、下側の配列生育層Ｌｌのマット状植物生育体Ｍｌ同士の隣接部を更に流下して潅水効果が損なわれることが防がれる。
【００６０】
(8) 図８に示す植物栽培用構造体（支持体は図示を略す）は、マット状植物生育体Ｍｌ・Ｍｕが複数個平面的に隣接配列されてなる配列生育層Ｌｌ・Ｌｕが上下２層に積層されてなる積層体Ｔ２を有する。
【００６１】
この植物栽培用構造体においては、上側の配列生育層Ｌｕにおける隣接するマット状植物生育体Ｍｕ同士が、隣接する一方のマット状植物生育体Ｍｕの上向き傾斜側面Ｑａと他方のマット状植物生育体Ｍｕの下向き傾斜側面Ｑｂが上下に接し、且つ、下側の配列生育層Ｌｌにおける隣接するマット状植物生育体Ｍｌ同士が、隣接する一方のマット状植物生育体Ｍｌの上向き傾斜側面Ｑａと他方のマット状植物生育体Ｍｌの下向き傾斜側面Ｑｂが上下に接しており、上側の配列生育層Ｌｕにおける隣接部Ｎの下端部と下側の配列生育層Ｌｌにおける隣接部Ｎの上端部が一致している。而も、上側の配列生育層Ｌｕにおける隣接部Ｎの傾斜側面の傾斜方向と下側の配列生育層Ｌｌにおける隣接部Ｎの傾斜側面の傾斜方向は、逆向きである。
【００６２】
上側の配列生育層Ｌｕのマット状植物生育体Ｍｕに潅水された水系液体のうち、その配列生育層Ｌｕのマット状植物生育体Ｍｕ同士の隣接部Ｎを流下する水系液体は、傾斜側面から保水性生育部Ｍａに浸透するものも相当の割合となる。
【００６３】
また下側の配列生育層Ｌｕのマット状植物生育体Ｍｌ同士の隣接部Ｎの上部に流下した水系液体のうち、その配列生育層Ｌｌのマット状植物生育体Ｍｌ同士の隣接部Ｎを流下する水系液体は、傾斜側面から保水性生育部Ｍａに浸透するものも相当の割合となる。そのため、その隣接部Ｎの上部に流下した水系液体は、マット状植物生育体Ｍｌ同士の隣接部Ｎを更に流下することが可及的に防がれ、上向き傾斜側面を有する側のマット状植物生育体Ｍｌにより保水される割合が高まる。
【００６４】
[2] 本発明の実施の形態を、上記以外の形態を含めて更に説明する。
【００６５】
この植物栽培用構造体は、保水性生育部を有するマット状植物生育体が複数個平面的に隣接配列されてなる配列生育層が上下に積層されてなる積層体を有し、流下防止部を備える。
【００６６】
主な設置対象場所は、緑化対象の屋上やその他のコンクリート又はアスファルト面等であって、水平又は緩い傾斜面等である。
【００６７】
(1) マット状植物生育体
【００６８】
(1-1) マット状植物生育体は、生育対象とする植物の根又は地下茎等が生育し得るものであり、全体が保水性生育部であるもの、保水性生育部全体（又は部分）の上に拡散部が積層されてなるもの（望ましくは保水性生育部上に拡散部が積層されて一体状をなすもの）、その他、保水性生育部を有するものとすることができる。
【００６９】
マット状植物生育体のうち、少なくとも、下側の配列生育層のマット状植物生育体が、保水性生育部上に積層された拡散部を有するものとすることができるが、これに限らず、他の配列生育層のマット状植物生育体も、保水性生育部上に積層された拡散部を有するものとすることができる。
【００７０】
マット状植物生育体は、平面視において、例えば、正多角形状若しくはその他の多角形状であるもの、好ましくは方形状若しくは正方形状であるものとすることができる。
【００７１】
マット状植物生育体は、上下方向の厚さが実質上一定（例えば１０乃至２００ｍｍ、好ましくは２０乃至１００ｍｍ、より好ましくは３０乃至７０ｍｍ）であるものとすることができるが、必ずしもこれに限るものではない。
【００７２】
(1-2) 保水性生育部としては、例えば、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチや熱溶融性のバインダー繊維の含有及び溶融により繊維成形物の保形性を高めたもの、不織布、不織布を重積したものを用いることができる。また、保水性生育部は、肥料や土壌改良材又はその他の成分を含有するものとすることができる。
【００７３】
保水性生育部が生育対象とする植物は、芝類又はその他の各種植物を例示することができる。
【００７４】
保水性生育部が保水し得るのは、水道水、雨水、液肥等を含有す水等の、対象植物の生育に利用され得る、水を主成分とする液体である水系液体である。
【００７５】
(1-3) 拡散部は、保水性生育部全体（又は部分）の上に積層され、保水性生育部に比し水平方向に拡散し易いものである。例えば、一定量（例えば１ｃｃ）の水を一箇所に滴下した場合に、同じ厚さの保水性生育部に比し、２０乃至４００倍又はそれ以上の面積にわたり拡散するものとすることができる。
【００７６】
上方からマット状植物生育体に供給された水系液体は、拡散部において水平方向に拡散した後、保水性生育部に供給される。
【００７７】
拡散部としては、例えば、ポリエステルやアクリル等の合成繊維、好ましくは疎水性合成繊維、（又はその他の繊維）を主原料（すなわち原料の５０乃至１００重量％、好ましくは７０乃至１００重量％）とする不織布、織物、編物等の繊維製シート状体からなるものを用いることができる。
【００７８】
拡散部に用いる繊維は、例えば１０デニール以下、又は７デニール以下とすることができ、毛管現象による拡散性が良好なものとする上で、３デニール以下のものが好ましい。より好ましくは、マイクロファイバーを含む１．５デニール以下の繊維である。また、拡散部の拡散性を高める上で、合成繊維（例えば疎水性合成繊維）に対し吸水処理剤や界面活性剤等により親水化処理を行うことが好ましい。このような処理を行う処理剤の例としては、互応化学工業製のプラスコートＦＲ−５５０又はＦＲ−６２７、コタニ化学工業製のクインスタットＮＷ−３８０又はＮＷ−Ｅ、クインセットＰＳＯ−５５００、高松油脂製のＳＲ−１０００、１７２０、１Ｍ、１８００、１８０５Ｍ、５０００、５７２０、６２００、又は１８０１ＭＣＯＮＣ等を挙げることができる。
【００７９】
拡散部の上下方向の厚さは、保水性生育部の層厚より小さい層厚、例えば３０分の１乃至５分の１の層厚であるものとすることができる。好ましくは２０分の１乃至１０分の１の層厚である。
【００８０】
(2) 配列生育層及び積層体
【００８１】
配列生育層は、マット状植物生育体が複数個（例えば４個又は６個又は９個以上、好ましくは１６個以上）平面的に隣接配列されてなるものである。
【００８２】
積層体は、２つの（又は、３若しくは４以上の）配列生育層が上下に積層されてなるものである。
【００８３】
(3) 支持体
【００８４】
積層体は、すのこ状部を有する支持体により上向きに支持されてなるものとすることができる。
【００８５】
支持体は、例えば、積層体を構成する配列生育層のうち支持体が直接支持する配列生育層を構成するマット状植物生育体の平面視形状に実質上一致するものとすることができるが、これに限るものではない。
【００８６】
支持体は、例えば、合成樹脂により一体成形されたものとすることができるが、これに限らない。
【００８７】
支持体は、全体がすのこ状部であるもの又は平面視における部分がすのこ状部であるものとすることができる。
【００８８】
支持体におけるすのこ状部の上面部は、例えば、積層体において生育した植物の根が挿通し得る上方開口の透孔が多数満遍なく形成されているものとすることができる。透孔の形状は、例えば、平面視において略方形状、三角形、正方形、長方形、その他の多角形、円形、楕円形等を任意に採用し得る。
【００８９】
支持体は、例えば、前記のような上方開口の透孔が多数形成された支持部が、支柱部や支承壁部等により支承されるものとすることができる。
【００９０】
(4) 流下防止部
【００９１】
流下防止部は、積層体における上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐものである。また、最上位置の配列生育層上に土砂や人口土壌等を配した場合にそれがマット状植物生育体同士の隣接部を介して下方へ漏脱することが防がれる。
【００９２】
(4-1) 流下防止部は、例えば、
上側の配列生育層におけるマット状植物生育体同士の隣接部と下側の配列生育層におけるマット状植物生育体同士の隣接部が、水平方向において一致しないことにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐものとすることができる。
【００９３】
上側の配列生育層におけるマット状植物生育体同士の隣接部と下側の配列生育層におけるマット状植物生育体同士の隣接部が、水平方向において一致しない場合としては、上側の隣接部と下側の隣接部が、平面視において例えば、平行な場合（例えば平面視において１乃至１０ｃｍ又はそれ以上離隔して平行な場合、好ましくは２乃至５ｃｍ離隔して平行な場合）、非平行であって交差しない場合（例えば平面視において１乃至１０ｃｍ又はそれ以上離隔して非平行な場合、好ましくは２乃至５ｃｍ離隔して非平行な場合）、５度以上（或いは、１０度又は１５度以上、好ましくは３０度又は４５度以上、より好ましくは６０度又は７０度以上、若しくは９０度）の角度で交差する場合等を挙げることができる。
【００９４】
(4-1-1) この場合の植物栽培用構造体を形成するための積層植物生育体として、例えば、平面視方形状をなす複数のマット状植物生育体が、辺同士が平行状をなすように互いにずれた状態で上下に積層して一体状をなすものを用いることができる。
【００９５】
また、この積層植物生育体を、すのこ状部を有する上記支持体上に積層して一体状をなすものとすることもできる。
【００９６】
(4-1-2) また、この場合の植物栽培用構造体を形成するための植物栽培用構造体形成材として、例えば、
保水性生育部を有し平面視方形状をなす複数のマット状植物生育体と、それらのマット状植物生育体を上下に積層した状態で結合させる結合部材を備えてなり、
前記複数のマット状植物生育体は、上下に積層した状態で前記結合部材により結合される被結合箇所をそれぞれ有しており、
前記マット状植物生育体を上下に積層させた状態で、それらのマット状植物生育体を、前記被結合箇所において前記結合部材により結合することにより、辺同士が平行状をなすように互いにずれた状態でそれらのマット状植物生育体が上下に積層した状態となるものを用いることができる。
【００９７】
また、すのこ状部を有する支持体を更に備えてなり、
その支持体上に上記マット状植物生育体を上下に積層させた状態で、上記結合部材により、それらのマット状植物生育体を上記被結合箇所において結合すると共に支持体を結合することにより、前記支持体上において辺同士が平行状をなすように互いにずれた状態でそれらのマット状植物生育体が上下に積層した状態となるものを用いることもできる。
【００９８】
マット状植物生育体が上下に積層した状態でこれを結合する結合部材は、例えば、
軸状部と、
前記軸状部の基端側に位置する基端側外方張出部と、
前記軸状部の先端側に位置し、前記基端側外方張出部との間に対象物を挟む先端側外方張出部を有すると共に内方へ弾性的に撓み得る抜止部を備えるものとすることができる。
【００９９】
マット状植物生育体において結合部材により結合される被結合箇所は、例えば、前記結合部材の抜止部及び軸状部が挿通され得る複数の貫通孔とすることができる。支持体を備える場合は、結合部材の抜止部が嵌挿されると共に抜止部により抜止がなされ得る複数の嵌合孔を支持体に備えるものとすることができる。
【０１００】
この場合、支持体上で、その複数の嵌合孔の位置と、マット状植物生育体の被結合箇所である複数の貫通孔の位置を合わせて、マット状植物生育体を上下に積層させ、各貫通孔に結合部材の抜止部及び軸状部を挿通させ、その抜止部を支持体の嵌合孔に嵌挿させて抜止部により支持体から結合部材が抜止されるものとする。これにより、支持体と、その支持体上において辺同士が平行状をなすように互いにずれた状態で上下に積層したマット状植物生育体とが、各結合部材の基端側外方張出部と抜止部の先端側外方張出部の間に挟まれて結合されたものとなる。
【０１０１】
なお、結合部材及び被結合箇所並びに支持体は、この例に限るものではない。
【０１０２】
(4-2) また流下防止部は、例えば、
下側の配列生育層におけるマット状植物生育体同士の隣接部上に、外部から供給された水系液体がマット状植物生育体の保水性生育部に比し水平方向に拡散し易い流下防止層を、隣接する両マット状植物生育体にわたって覆うように有することにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部上を覆う流下防止層上に流下した場合でも、その水系液体が流下防止層により覆われたマット状植物生育体同士の隣接部を更に流下することを防ぐものとすることができる。
【０１０３】
流下防止層は、材料や厚さ等も含めて上記拡散部と同様のものとすることができる。すなわち、保水性生育部に比し水平方向に拡散し易いもの、例えば、一定量（例えば１ｃｃ）の水を一箇所に滴下した場合に、同じ厚さの保水性生育部に比し、２０乃至４００倍又はそれ以上の面積にわたり拡散するものとすることができる。
【０１０４】
(4-3) また流下防止部は、例えば、
下側の配列生育層における隣接するマット状植物生育体同士が、隣接する一方のマット状植物生育体の上向き傾斜側面と他方のマット状植物生育体の下向き傾斜側面が上下に接する隣接部であることにより、
上側の配列生育層のマット状植物生育体に潅水された水系液体のうち、その配列生育層のマット状植物生育体同士の隣接部を流下した水系液体が、その配列生育層の下側の配列生育層のマット状植物生育体同士の隣接部を更に流下することを防ぐものとすることができる。
【０１０５】
隣接する一方のマット状植物生育体の上向き傾斜側面の傾斜角と他方のマット状植物生育体の下向き傾斜側面の傾斜角は実質上一致するものであることが望ましい。
【０１０６】
それらの傾斜角は、平面視において傾斜側面同士が上下に接する面積を可及的に大きくし且つ傾斜側面部の強度や取り扱い性を満たす上で、水平面に対し例えば２０度乃至６０度とすることができるが、好ましくは３０度乃至４５度である。
【０１０７】
また、この場合、上側の配列生育層における隣接するマット状植物生育体同士が、隣接する一方のマット状植物生育体の上向き傾斜側面と他方のマット状植物生育体の下向き傾斜側面が上下に接するものとし、その隣接部の下端部と、下側の配列生育層における隣接する一方のマット状植物生育体の上向き傾斜側面と他方のマット状植物生育体の下向き傾斜側面が上下に接する隣接部の上端部が一致するものとすることができる。その場合、上側の配列生育層における隣接部の傾斜側面の傾斜方向と下側の配列生育層における隣接部の傾斜側面の傾斜方向は、同じ向き又は逆向きとすることができる。
【符号の説明】
【０１０８】
Ａ      積層マット
Ｂ      積層マット
Ｃ      積層マット
Ｄ      積層マット
Ｅ      積層マット
Ｆ      積層マット
Ｇ      積層マット
Ｈ      積層マット
Ｉ      積層マット
Ｌｌ    配列生育層
Ｌｕ    配列生育層
Ｍａ    保水性生育部
Ｍｂ    拡散部
Ｍｃ    貫通孔
Ｍｌ    マット状植物生育体
Ｍｕ    マット状植物生育体
Ｎ      隣接部
Ｐ      結合部材
Ｐａ    抜止部
Ｐａ１  先端側外方張出部
Ｐｂ    軸状部
Ｐｃ    基端側外方張出部
Ｑａ    上向き傾斜側面
Ｑｂ    下向き傾斜側面
Ｒ      支持体
Ｒａ    透孔
Ｒｂ    支持部
Ｒｃ    支柱部
Ｒｄ    嵌合孔
Ｓ      植物栽培用構造体
Ｔ      積層体
Ｔ１    積層体
Ｔ２    積層体
Ｖ      流下防止層
【図１】
2014226061.tif 000003
【図２】
2014226061.tif 000004
【図３】
2014226061.tif 000005
【図４】
2014226061.tif 000006
【図５】
2014226061.tif 000007
【図６】
2014226061.tif 000008
【図７】
2014226061.tif 000009
【図８】
2014226061.tif 000010